(57)【要約】      （修正有）【課題】畳が沈み、畳に重量が負荷されても容易に浮動せず浴槽底に定着できる浴槽用敷畳を提供する。【解決手段】畳Ａは、発泡ポリスチレンからなる発泡合成樹脂芯材１の中央を適宜くり貫いて、その空間１ａに石材タイルからなる重量負荷材Ｂを内設して、それをプラスティック合板２、２により上下面を挟んで固定し、それらに畳表４を被覆して防水接着テープ５で固定している。さらに、プラスティック合板２、２と畳表４との間にクッション材３、３を挟設し、少なくとも表面側に弾性を持たせている。【選択図】図２
0003143393.tif 000002
【実用新案登録請求の範囲】
【請求項１】
畳Ａに、浴槽内の湯（水）に沈んで浴槽底面に浮動せず定着する程度の重量を有する重量負荷材Ｂを付与した浴槽用敷畳。
【請求項２】
畳Ａは、発泡合成樹脂芯材１を適宜くり貫いてその空間１ａに重量負荷材Ｂを設置して、それをプラスティック合板３で上下を挟んで固定し、それらに畳表４を被覆するようにした浴槽用敷畳。
【請求項３】
畳Ａ１を複数のパイプ１１・・・からなる簀子Ｃ上面に固定し、該簀子Ｃのパイプ１１・・・空洞に、浴槽内の湯（水）に沈んで浴槽底面から浮動せず定着する程度の重量を有する重量負荷材Ｂ１を充填した浴槽用敷畳。
【考案の詳細な説明】
【技術分野】
【０００１】  本考案は浴槽内で容易に浮動しない程度に浴槽底に定着するようにした浴槽用敷畳に関するものである。
【背景技術】
【０００２】  例えば、特開２００７−１９７９１７号公報には、仕切壁によって複数に区画した各ルームの床面Ｐ上に、少なくともベッドＱ、浴室あるいは浴槽、トイレ室、洗面所を設置してなるビジネスホテルルーム構造の少なくとも床面ＰおよびベッドＱを合成繊維ラッシュによる畳表６を備えた畳敷構造とするビジネスホテルルーム構造が記載されている。【０００３】  そして、明るく清潔さを基調とした清潔感が高いルームとし、しかも利用者に対し癒しと健康感とを与えることが出来るビジネスホテルルーム構造を提供する旨記載されている。【０００４】  しかしながら、この発明においては各ルームの床面Ｐ上に、少なくともベッドＱ、浴室あるいは浴槽に畳を使用する旨示唆されていても、畳が浴槽内の湯（水）に沈んで浴槽底面から浮動せず定着する程度の重量を有する重量負荷材を付与した浴槽用敷畳については記載されていない。【０００５】  また、実用新案登録第３００５９４２号公報には、ベッドの上に簀子板を置き、その上に畳を敷いた畳ベッドにおいて、簀子板を廃し、内部に木製桟木を入れた畳を使用したことを特徴とする畳ベッドが記載されている。【０００６】  そして、該公報の［考案の詳細な説明］中、［０００２］に、図６は従来の畳ベッドの側面図であるが、ベッド１０の上に簀子板１２を置き、その上に畳１４を敷いた構造にしている。図７は簀子板１２の平面図であるが、この簀子板１２は基礎板１２ａの上に適当な間隔をあけてベニヤ板１２ｂを貼ったものである。このような簀子板１２を用いるのは、畳１４にかかる荷重を受けながらベッド１０との間に通風のための空間を確保するためである旨記載されている。【０００７】  また、該公報の［０００３］に、図８はここで用いられる畳１４の断面図であるが、上から表面材である畳表１６、強度材であるインシュレーションボード１８、断熱材であるポリエチレンボード２０、インシュレーションボード１８及び防虫防湿シート２２を重ね、これらの側面を畳縁２４で覆ったものである旨記載されている。【０００８】  しかしながら、この考案は畳ベッドであり、浴槽内において敷畳として使用するものではない。また、畳上に湯を流した場合、インシュレーションボードは木質繊維を固めたものであり、吸水性があり畳床から容易に水分が排出できる材質及び構造のものではない。
【考案が解決しようとする課題】
【０００９】  本考案は、浴槽底面に定着するようにして使用できる浴槽用敷畳とするため、畳が沈み、畳に重量が負荷されても容易に浴槽底から浮動することなく定着でき、畳に重量負荷材を容易に形成でき、畳敷に湯が浸透した場合でも畳から容易に水分が排出できる材質及び構造を有する浴槽用敷畳を提供することにある。
【課題を解決する手段】
【００１０】  請求項１の考案は、畳に、浴槽内の湯（水）に沈んで浴槽底面から浮動せず定着する程度の重量を有する重量負荷材を付与した浴槽用敷畳を提供するものである。
【００１１】  この考案においては、浴槽底面に定着するようにして使用出来，畳が沈み、畳に重量が負荷されても容易に浴槽底から浮動することなく定着できる浴槽用敷畳を提供することが出来る。
【００１２】  また、請求項２の考案は、畳の発泡合成樹脂芯材１を適宜くり貫いてその空間に重量負荷材を設置して、それをプラスティック合板で上下面を挟んで固定し、それらに畳表を被覆するようにした浴槽用敷畳を提供するものである。
【００１３】  この考案においては、畳の発泡合成樹脂芯材１を適宜くり貫いてその空間に重量負荷材を設置して、それをプラスティック合板で上下面を挟んで固定するので、畳に重量負荷材を極めて容易に設置できると共に、畳敷に湯が浸透した場合でも畳から容易に水分が排出できる浴槽用敷畳を提供することが出来る。
【００１４】  また、請求項３の考案は、畳を複数のパイプ・・・からなる簀子上面に固定し、該簀子のパイプ・・・空洞に、畳が浴槽内の湯（水）に沈んで浴槽底面から浮動せず定着する程度の重量負荷材を充填した浴槽用敷畳を提供するものである。
【００１５】  この考案においては、畳が浴槽内に沈み、畳に重量が負荷されても容易に浴槽底をから浮動せず定着できる重量を有し、畳に重量負荷材を容易に付与できると共に、畳敷に湯が浸透した場合でも畳から容易に水分が排出できる簀子式浴槽用敷畳を提供することが出来る。
【考案を実施するための最良の形態】
【００１６】  以下に本考案の一実施形態を図面に基づき説明する。図１及び図２は本考案の一実施例であり、図１に示すように、略正方形の畳Ａの中央に、畳Ａが浴槽内の湯（水）に沈んで浮動せず浴槽底面から浮動せず定着する程度の重量を有する重量負荷材Ｂを付設している。【００１７】  即ち、図２のＩ−Ｉ線視断面図に示すように、畳Ａは、発泡ポリスチレンからなる発泡合成樹脂芯材１の中央を適宜くり貫いて、その空間１ａに石材タイルからなる重量負荷材Ｂを内設して、それをプラスティック合板２、２により上下面を挟んで固定し、それらに畳表４を被覆して防水接着テープ５で固定している。さらに、プラスティック合板２、２と畳表４との間にクッション材３、３を挟設し、少なくとも表面側に弾性を持たせている。【００１８】  この実施例においては、畳Ａの石材タイルからなる重量負荷材Ｂを、発泡合成樹脂芯材１の中央を適宜くり貫いて、その空間１ａに重量負荷材Ｂを内設し、それをプラスティック合板２、２により上下面を挟んで固定するのみとしたので、畳Ａに対して重量負荷材Ｂを極めて容易に形成できる。また、このような構造において、畳１内に湯（水）が浸透した場合でも、発砲合成樹脂芯材１、その空間１ｂ、重量負荷材Ｂ、プラスティック合板３、３の各隙間より、容易に水分を排出することが出来る。尚、重量負荷材Ｂは発泡合成樹脂芯材１の中央のみならず、発泡合成樹脂芯材１の複数箇所をくり貫いて設置することも出来る。【００１９】  図３〜図８は本考案の他の実施例であり、図３及び図４に示すように、畳Ａ１を複数のパイプ１１・・・からなる簀子Ｃ上面に固定している。図５及び図６に示す如く、該簀子Ｃのパイプ１１・・・空洞に重量負荷材Ｂ１を充填し、この重量負荷材Ｂ１は畳Ａ１が浴槽内の湯（水）に浸漬した場合に浴槽底面に沈んで浮動せず定着する程度の重量である。この重量負荷材Ｂ１はモルタル、セメント等であり、水分含んで流動性を有していてパイプ１１・・・内に充填した後、空気に触れて固形化するものである。したがって、パイプ１１内に流し込むだけで極めて容易に充填でき重量負荷材Ｂ１を形成することができる。【００２０】  また、この重量負荷材Ｂ１が簀子Ｃのパイプ１１・・・空洞に充填され固形化すると、パイプ１１・・・の強度も増大して簀子Ｃ全体の強度も向上できる。【００２１】  また、畳Ａ１はプラスティック合板１２を芯材として上下クッション材１３、１３を挟んで畳表１４を表面から底面へ織り込み防水接着である防水接着テープ１５により固定。さらに、前記複数のパイプ１１・・・と前記プラスティック合板１２、１２とをボルト１６・・・を介して複数箇所で固定するようにしている。【００２２】  図７は、上記他の実施例の使用状態例を示すものであり、２枚の畳敷Ａ１、Ａ１を並列させて浴槽底面に敷くようにした斜視図である。簀子Ｃのパイプ１１・・・の四隅には突設部１８・・・を設けており、浴槽底面に各点接して浴槽用敷畳の浴槽底面の凹凸に順応して左右動を防止する。【００２３】  図８は上記他の実施例における他の使用状態例を示すものであり、２枚の畳Ａ１、Ａ１を上下重ねることにより、浴槽内で簡単な腰掛けとして使用できるようにしている。【００２４】  尚、１７（図３）はパイプ１１の一部である取っ手を形成し、浴槽用敷畳を容易に持ち上げられるようにした開放部であり、この開放部１７はこの下方に浴槽の排水口（図示せず）に一致させて、排水口の開閉操作を容易にするようにしたものである。【００２５】  また、前記複数のパイプ１１・・・と前記剛性を有するプラスティック合板１２とをボルト１６・・・を介して複数箇所で固定するようにしているので、畳Ａ１と簀子状パイプ１１・・・とを強固に固定することができる
【考案の効果】
【００２６】  上記の如く本考案においては、畳が浴槽内に沈み、畳に重量が負荷されても容易に浴槽底から浮動せず定着できると共に、畳に重量負荷材を極めて容易に付与することができると共に、畳に湯が浸透した場合でも畳から容易に水分が排出できる材質及び構造を有する浴槽用敷畳を提供できる効果がある。
【図面の簡単な説明】
【００２７】
【図１】  実施例１の畳の平面図
【図２】  図１のＩ−Ｉ線断面視図
【図３】  他の実施例を示す浴槽用敷畳上面の斜視図
【図４】  前図の浴槽用敷畳底面の斜視図
【図５】  図３の浴槽用敷畳の一部断面拡大図
【図６】  パイプ内部に重量負荷材を充填した一部断面図
【図７】  図３の浴槽用敷畳２枚を平面状にした使用状態図
【図８】  図３の浴槽用敷畳を重ねた使用状態図
【符号の説明】
１            発泡合成樹脂芯材
１ａ          空間
Ａ、Ａ１      畳
Ｂ、Ｂ１      重量負荷材
Ｃ            簀子
１１          パイプ
２、１２      プラスティック合板
３、１３      クッション材
４、１４      畳表
５、１５      防水接着
１６・・・    ボルト
１８・・・    突設部
【図１】
0003143393.tif 000003
【図２】
0003143393.tif 000004
【図３】
0003143393.tif 000005
【図４】
0003143393.tif 000006
【図５】
0003143393.tif 000007
【図６】
0003143393.tif 000008
【図７】
0003143393.tif 000009
【図８】
0003143393.tif 000010